(57)【要約】【課題】光学素子の温度特性が変化した場合でも、温度特性を高精度に補償する。【解決手段】受光装置１００は、受光量に応じた第一の出力信号を出力する第一の受光素子１０１と、第一の受光素子１０１の温度情報を取得する温度情報取得部１０２と、複数の電力供給条件で第一の受光素子１０１に電力供給が行われたときの第一の出力信号及び温度情報に基づいて第一の出力信号の補償情報を生成し、記憶部１０５に格納する生成部１０３と、第一の出力信号を、第一の出力信号が出力されたときの温度情報と補償情報とに基づいて補償する補償部１０４と、を備える。【選択図】      図１
2018060781.tif 000002
【特許請求の範囲】
【請求項１】
受光量に応じた第一の出力信号を出力する第一の受光素子と、
前記第一の受光素子の温度情報を取得する温度情報取得部と、
前記第一の出力信号の補償に用いる補償情報を記憶する記憶部と、
前記第一の受光素子に電力を供給することで、当該第一の受光素子を複数の温度状態に変化させる制御部と、
前記複数の温度状態における、複数の前記第一の出力信号及び前記温度情報に基づいて前記補償情報を生成する生成部と、
前記第一の出力信号を、前記温度情報及び前記補償情報に基づいて補償する補償部と、
を備える受光装置。
【請求項２】
前記補償情報の生成を指示するための生成信号を出力する指示部をさらに備え、
前記制御部は、前記生成信号が入力されたときに、前記第一の受光素子に電力を供給し、当該第一の受光素子を前記複数の温度状態に変化させる
請求項１に記載の受光装置。
【請求項３】
補償用発光素子をさらに備え、
前記第一の受光素子は、前記補償用発光素子が出力する光の少なくとも一部を受光し、
前記補償用発光素子は、前記第一の受光素子が前記複数の温度状態にあるときに一定条件で駆動され、
前記第一の出力信号は、前記補償用発光素子が出力する光の受光量に応じた出力を含む
請求項１または請求項２に記載の受光装置。
【請求項４】
受光量に応じた第二の出力信号を出力する補償用受光素子をさらに備え、
前記生成部は、前記第二の出力信号の変化量が所定の閾値以下である場合に、前記補償情報を生成する
請求項１から請求項３のいずれか一項に記載の受光装置。
【請求項５】
前記温度情報取得部は、前記第一の受光素子の抵抗値を前記温度情報として取得する
請求項１から請求項４のいずれか一項に記載の受光装置。
【請求項６】
供給される電力に応じた量の光を出力する第一の発光素子と、
前記第一の発光素子の温度情報を取得する温度情報取得部と、
前記第一の発光素子の電力供給条件の補償に用いる補償情報を記憶する記憶部と、
前記第一の発光素子に電力を供給することで、当該第一の発光素子を複数の温度状態に変化させる制御部と、
前記複数の温度状態における、複数の前記第一の発光素子の出力及び前記温度情報に基づいて前記補償情報を生成する生成部と、
前記電力供給条件を、前記温度情報及び前記補償情報に基づいて補償する補償部と、
を備える発光装置。
【請求項７】
前記補償情報の生成を指示するための生成信号を出力する指示部をさらに備え、
前記制御部は、前記生成信号が入力されたときに、前記第一の発光素子に電力を供給し、当該第一の発光素子を前記複数の温度状態に変化させる
請求項６に記載の発光装置。
【請求項８】
前記第一の発光素子が出力する光の少なくとも一部を受光し、受光量に応じた第一の出力信号を出力する補償用受光素子をさらに備え、
当該補償用受光素子の出力信号を、前記第一の発光素子の出力として用いる
請求項６または請求項７に記載の発光装置。
【請求項９】
前記温度情報取得部は、前記第一の発光素子の抵抗値を前記温度情報として取得する
請求項６から請求項８のいずれか一項に記載の発光装置。
【請求項１０】
供給される電力に応じた量の光を出力する第一の発光素子と、
前記第一の発光素子が出力する光の少なくとも一部を受光し、受光量に応じた第一の出力信号を出力する第一の受光素子と、
前記第一の発光素子の温度情報を取得する温度情報取得部と、
前記第一の出力信号の補償に用いる第一の補償情報を記憶する第一の記憶部と、
前記第一の発光素子に電力を供給することで、当該第一の発光素子を複数の温度状態に変化させる制御部と、
前記複数の温度状態における、複数の前記第一の出力信号及び前記温度情報に基づいて前記第一の補償情報を生成する第一の生成部と、
前記第一の出力信号を、前記温度情報及び前記第一の補償情報に基づいて補償する第一の補償部と、
を備える受発光装置。
【請求項１１】
前記第一の補償情報の生成を指示するための生成信号を出力する指示部をさらに備え、
前記制御部は、前記生成信号が入力されたときに、前記第一の発光素子に電力を供給し、当該第一の発光素子を複数の温度状態に変化させる
請求項１０に記載の受発光装置。
【請求項１２】
前記第一の発光素子と同一基板上に配置され、前記第一の発光素子が出力する光の少なくとも一部を受光し、受光量に応じた第二の出力信号を出力する第二の受光素子と、
前記第二の出力信号の補償に用いる第二の補償情報を記憶する第二の記憶部と、
前記複数の温度状態における前記第二の出力信号及び前記温度情報に基づいて前記第二の補償情報を生成する第二の生成部と、
前記第二の出力信号を、前記温度情報及び前記第二の補償情報に基づいて補償する第二の補償部と、
をさらに備える請求項１０に記載の受発光装置。
【請求項１３】
前記第一の補償情報及び／または前記第二の補償情報の生成を指示するための生成信号を出力する指示部をさらに備え、
前記制御部は、前記生成信号が入力されたときに、前記第一の発光素子に電力を供給し、当該第一の発光素子を複数の温度状態に変化させる
請求項１２に記載の受発光装置。
【請求項１４】
前記温度情報取得部は、前記第一の発光素子の抵抗値を前記温度情報として取得する
請求項１０から請求項１３のいずれか一項に記載の受発光装置。
【請求項１５】
前記温度情報取得部は、前記第二の受光素子の抵抗値を前記温度情報として取得する
請求項１２に記載の受発光装置。
【請求項１６】
前記第一の出力信号を、前記第二の出力信号に基づいて補正する
請求項１２又は請求項１３に記載の受発光装置。
【請求項１７】
受光量に応じた第一の出力信号を出力する第一の受光素子に、当該第一の受光素子の温度状態が複数の温度状態に変化するように電力を供給し、
前記第一の受光素子が前記複数の温度状態にあるときの、複数の前記第一の出力信号と前記第一の受光素子の温度情報とに基づいて、前記第一の出力信号の補償に用いる補償情報を生成して記憶部に記憶しておき、
前記第一の出力信号を、前記第一の受光素子の温度情報及び前記記憶部に記憶されている前記補償情報に基づいて補償する、受光装置の補償方法。
【請求項１８】
供給される電力に応じた量の光を出力する第一の発光素子に、当該第一の発光素子の温度状態が複数の温度状態に変化するように電力を供給し、
前記第一の発光素子が前記複数の温度状態にあるときの、複数の前記第一の発光素子の出力と前記第一の発光素子の温度情報とに基づいて、前記第一の発光素子の電力供給条件の補償に用いる補償情報を生成して記憶部に記憶しておき、
前記第一の発光素子の電力供給条件を、前記第一の発光素子の温度情報及び前記記憶部に記憶されている前記補償情報に基づいて補償する、発光装置の補償方法。
【請求項１９】
供給される電力に応じた量の光を出力する第一の発光素子と、
前記第一の発光素子が出力する光の少なくとも一部を受光し、受光量に応じた第一の出力信号を出力する第一の受光素子と、
を備えた受発光装置の補償方法であって、
前記第一の発光素子に、当該第一の発光素子の温度状態が複数の温度状態に変化するように電力を供給し、
前記第一の発光素子が前記複数の温度状態にあるときの、複数の前記第一の受光素子の前記第一の出力信号及び前記第一の発光素子の温度情報に基づいて、前記第一の出力信号の補償に用いる第一の補償情報を生成して記憶部に記憶しておき、
前記第一の出力信号を、前記第一の発光素子の温度情報及び前記記憶部に記憶されている前記第一の補償情報に基づいて補償する、受発光装置の補償方法。
【発明の詳細な説明】
【技術分野】
【０００１】
本発明は受光装置、発光装置及び受発光装置に関する。
【背景技術】
【０００２】
従来、フォトダイオードやフォトトランジスタ、サーモパイル等の受光素子や、ＬＥＤ（Light Emitting Diode）やレーザ、ＭＥＭＳ（Micro Electro Mechanical Systems）ヒータ等の発光素子、さらに、これら受光素子と発光素子とを組み合わせた受発光素子といった光学素子は、計測装置のセンサや光源として、または照明用途等の光学装置内に使用されている。一方で、これら光学素子は、多くの場合環境温度や周囲の熱源によって光学素子の温度が変わると、素子特性が変わる、つまり、これら光学素子は温度特性を有する。
【０００３】
例えば、受光素子の場合、同じ光量の光を受光していても受光素子の温度変化に応じて受光素子の出力が変わってしまう。また、例えば、発光素子の場合、同じ電力を投入しても発光素子の温度変化に応じて出力される光量が変わってしまう。
これらの現象は、例えば光学素子を計測装置に用いる場合は、素子温度によって計測結果が変わってしまうという問題を引き起こす。また、例えば光学素子を照明用途に用いる場合は、素子温度によって照明の明るさが変わったり、照明周囲の温度むらに起因する明度むらが生じてしまったりする等の問題を引き起こす。
【０００４】
これらの問題への対応策として、例えば特許文献１には、ＬＥＤのダイ温度に応じてＬＥＤコントローラによる駆動方法を制御することで、照明の明度の温度依存性を補償する方法が開示されている。また、特許文献２には、光源を複数のブロックに分割し、ブロック毎に光源の周辺温度の検出値と、光源の輝度の検出値と、光源の温度特性とに基づき、光源の輝度が目標輝度と一致するように、光源の駆動量を補正する方法が提示されている。
【先行技術文献】
【特許文献】
【０００５】
【特許文献１】特許第５８４２２８８号公報
【特許文献２】特開２０１３−４２６３号公報
【発明の概要】
【発明が解決しようとする課題】
【０００６】
特許文献１に示されるように、温度を観測してその結果に応じて制御を変化させる手段は光学素子の温度特性の影響を補償するために有効である。しかしながら、例えば製品の出荷前検査時等、事前にその光学素子や光学装置の温度特性を取得しておく必要がある。
具体的には、例えば、ＬＥＤ照明の明度を、ＬＥＤに入力する電流値を制御することで素子温度の変化に依らずに規定の値に保とうとするときには、ある素子温度における電流値と明度との関係、すなわち温度特性を補償するための補償情報を予め取得しておく必要がある。そして、ＬＥＤ照明を使用する際には素子温度を計測し、事前に取得した補償情報を参照してＬＥＤに入力する電流値を決定することで、ＬＥＤ照明の明度を素子温度の変化に依らずに規定の値に保つことができる。
【０００７】
しかしながら、事前に取得した温度特性を補償するための補償情報を使い続ける場合、経年劣化等により光学素子の温度特性が変化してしまった場合には、温度特性の補償精度が低下してしまうという問題がある。
本発明は、このような問題に鑑みてなされたもので、その目的とするところは、経年劣化等により光学素子の温度特性が変化してしまった場合にも、温度特性を高精度に補償することができる受光装置、発光装置及び受発光装置を提供することにある。
【課題を解決するための手段】
【０００８】
上記目的を達成するために、本発明の一態様に係る受光装置は、受光量に応じた第一の出力信号を出力する第一の受光素子と、前記第一の受光素子の温度情報を取得する温度情報取得部と、前記第一の出力信号の補償に用いる補償情報を記憶する記憶部と、前記第一の受光素子に電力を供給することで、当該第一の受光素子を複数の温度状態に変化させる制御部と、前記複数の温度状態における、複数の前記第一の出力信号及び前記温度情報に基づいて前記補償情報を生成する生成部と、前記第一の出力信号を、前記温度情報及び前記補償情報に基づいて補償する補償部と、を備えることを特徴としている。
【０００９】
また、本発明の他の態様に係る発光装置は、供給される電力に応じた量の光を出力する第一の発光素子と、前記第一の発光素子の温度情報を取得する温度情報取得部と、前記第一の発光素子の電力供給条件の補償に用いる補償情報を記憶する記憶部と、前記第一の発光素子に電力を供給することで、当該第一の発光素子を複数の温度状態に変化させる制御部と、前記複数の温度状態における、複数の前記第一の発光素子の出力及び前記温度情報に基づいて前記補償情報を生成する生成部と、前記電力供給条件を、前記温度情報及び前記補償情報に基づいて補償する補償部と、を備えることを特徴としている。
【００１０】
さらに、本発明の他の態様に係る受発光装置は、供給される電力に応じた量の光を出力する第一の発光素子と、前記第一の発光素子が出力する光の少なくとも一部を受光し、受光量に応じた第一の出力信号を出力する第一の受光素子と、前記第一の発光素子の温度情報を取得する温度情報取得部と、前記第一の出力信号の補償に用いる第一の補償情報を記憶する第一の記憶部と、前記第一の発光素子に電力を供給することで、当該第一の発光素子を複数の温度状態に変化させる制御部と、前記複数の温度状態における、複数の前記第一の出力信号及び前記温度情報に基づいて前記第一の補償情報を生成する第一の生成部と、前記第一の出力信号を、前記温度情報及び前記第一の補償情報に基づいて補償する第一の補償部と、を備えることを特徴としている。
【００１１】
さらに、本発明の他の態様に係る受光装置の補償方法は、受光量に応じた第一の出力信号を出力する第一の受光素子に、当該第一の受光素子の温度状態が複数の温度状態に変化するように電力を供給し、前記第一の受光素子が前記複数の温度状態にあるときの、複数の前記第一の出力信号と前記第一の受光素子の温度情報とに基づいて、前記第一の出力信号の補償に用いる補償情報を生成して記憶部に記憶しておき、前記第一の出力信号を、前記第一の受光素子の温度情報及び前記記憶部に記憶されている前記補償情報に基づいて補償することを特徴としている。
【００１２】
また、本発明の他の態様に係る発光装置の補償方法は、供給される電力に応じた量の光を出力する第一の発光素子に、当該第一の発光素子の温度状態が複数の温度状態に変化するように電力を供給し、前記第一の発光素子が前記複数の温度状態にあるときの、複数の前記第一の発光素子の出力と前記第一の発光素子の温度情報とに基づいて、前記第一の発光素子の電力供給条件の補償に用いる補償情報を生成して記憶部に記憶しておき、前記第一の発光素子の電力供給条件を、前記第一の発光素子の温度情報及び前記記憶部に記憶されている前記補償情報に基づいて補償することを特徴としている。
【００１３】
さらにまた、本発明の他の態様に係る受発光装置の補償方法は、供給される電力に応じた量の光を出力する第一の発光素子と、前記第一の発光素子が出力する光の少なくとも一部を受光し、受光量に応じた第一の出力信号を出力する第一の受光素子と、を備えた受発光装置の補償方法であって、前記第一の発光素子に、当該第一の発光素子の温度状態が複数の温度状態に変化するように電力を供給し、前記第一の発光素子が前記複数の温度状態にあるときの、複数の前記第一の受光素子の前記第一の出力信号及び前記第一の発光素子の温度情報に基づいて、前記第一の出力信号の補償に用いる第一の補償情報を生成して記憶部に記憶しておき、前記第一の出力信号を、前記第一の発光素子の温度情報及び前記記憶部に記憶されている前記第一の補償情報に基づいて補償することを特徴としている。
【発明の効果】
【００１４】
本発明の一態様によれば、使用環境下における最新の光学素子の温度特性を取得することで、経年劣化等により光学素子の温度特性が変化してしまった場合にも、高精度に温度特性を補償することができる。
【図面の簡単な説明】
【００１５】
【図１】本発明の第一実施形態に係る受光装置の一例を示す概略構成図である。
【図２】第一の受光素子１０１の出力である第一の出力信号の温度特性を表す概念図である。
【図３】第一の出力信号の補償情報の取得方法を説明するための概念図である。
【図４】本発明の第二実施形態に係る発光装置の一例を示す概略構成図である。
【図５】温度特性の補償方法を説明するための概念図である。
【図６】温度特性の補償方法を説明するための概念図である。
【図７】温度特性の補償方法を説明するための概念図である。
【図８】本発明の第三実施形態に係る受発光装置の一例を示す概略構成図である。
【図９】本発明の第四実施形態に係る受発光装置の変形例を示す概略構成図である。
【発明を実施するための形態】
【００１６】
以下の詳細な説明では、本発明の実施形態の完全な理解を提供するように多くの特定の具体的な構成について記載されている。しかしながら、このような特定の具体的な構成に限定されることなく他の実施態様が実施できることは明らかであろう。また、以下の実施形態は、特許請求の範囲に係る発明を限定するものではなく、実施形態で説明されている特徴的な構成の組み合わせの全てを含むものである。
以下、図面を参照して、本発明の一実施形態を説明する。以下の図面の記載において、同一部分には同一符号を付している。
まず、本発明の第一実施形態を説明する。
図１は、本発明の第一実施形態に係る受光装置の一例を示す概略構成図である。
【００１７】
＜受光装置＞
本発明の一実施形態に係る受光装置は、受光量に応じた第一の出力信号を出力する第一の受光素子と、前記第一の受光素子の温度情報を取得する温度情報取得部と、前記第一の出力信号の補償に用いる補償情報を記憶する記憶部と、前記第一の受光素子に電力を供給することで、当該第一の受光素子を複数の温度状態に変化させる制御部と、前記複数の温度状態における、複数の前記第一の出力信号及び前記温度情報に基づいて前記補償情報を生成する生成部と、前記第一の出力信号を、前記温度情報及び前記補償情報に基づいて補償する補償部と、を備える。
【００１８】
ここでいう、補償情報とは、温度情報と、第一の出力信号の変化率との対応を表すテーブル、または、温度情報を入力とし、第一の出力信号の変化率を出力として算出するための、関数の係数や、温度情報と第一の出力信号を入力とし、温度特性の影響が補償された第一の出力信号を算出するための、関数の係数等を含む。
本発明の一実施形態に係る受光装置によれば、使用環境下における最新の光学素子の温度特性を取得することが可能になり、これを用いることで、経年劣化等により光学素子の温度特性が変化してしまった場合でも、温度特性の影響を高精度に補償することができる。さらに、第一の受光素子に電力を供給することで複数の温度状態を作り出すことができるため、恒温槽等の熱浴のような大規模な設備を必要とすることなく第一の受光素子の出力の補償情報を生成することができる。
【００１９】
本発明の第一実施形態に係る受光装置１００は、図１に示すように、第一の受光素子１０１と、温度情報取得部１０２と、生成部１０３と、補償部１０４と、記憶部１０５と、制御部１０６と、指示部１０７と、を備える。
第一の受光素子１０１は、制御部１０６からの電力供給により発熱し得る。また、第一の受光素子１０１は、その出力信号である第一の出力信号Ｓ１０１を生成部１０３及び補償部１０４に出力する。
【００２０】
温度情報取得部１０２は第一の受光素子１０１の温度情報を取得し、取得した温度情報Ｓ１０２を生成部１０３及び補償部１０４に出力する。生成部１０３は、指示部１０７から、補償情報の生成を指示するための生成信号が入力されたとき、温度特性を補償するための補償情報Ｓ１０３を生成し、生成した補償情報Ｓ１０３を記憶部１０５に格納する。
補償部１０４は第一の受光素子１０１から入力された第一の出力信号Ｓ１０１を、温度情報取得部１０２から出力された温度情報Ｓ１０２と、記憶部１０５に格納された補償情報Ｓ１０３とに基づいて補償し、温度特性の影響が補償された出力信号、つまり受光量に応じた出力信号Ｓ１００を出力する。
制御部１０６は、指示部１０７から、補償情報の生成を指示するための生成信号が入力されたとき、第一の受光素子１０１に電力供給を行い、第一の受光素子１０１を複数の温度状態に変化させる。
【００２１】
（第一の受光素子）
第一の受光素子１０１は、受光装置１００が感度を示すべき波長の光を受光した際に、受光した光量に応じた第一の出力信号Ｓ１０１を電気的に出力することが可能であり、且つ、第一の受光素子１０１は、電力が供給されることで発熱する受光素子であれば特に制限されない。
【００２２】
第一の受光素子１０１としては、例えば、受光装置１００が感度を示すべき波長に応じたフォトダイオードやフォトトランジスタ等の量子型光センサが好適である。また、例えば、特に赤外線に感度を示す受光装置を構成する場合、第一の受光素子１０１として、焦電センサ（Ｐｙｒｏｅｌｅｃｔｒｉｃ  ｓｅｎｓｏｒ）、サーモパイル（Ｔｈｅｒｍｏｐｉｌｅ）、ボロメータ（Ｂｏｌｏｍｅｔｅｒ）等の熱型赤外線センサ等も好適である。
【００２３】
また、第一の受光素子１０１は、フォトダイオード等の各種センサの出力を増幅する回路や電流−電圧変換回路、抵抗測定回路等を備えていてもよく、電流値や電圧値、抵抗値を第一の出力信号Ｓ１０１として出力してもよい。
また、第一の受光素子１０１は、アナログ−ディジタル変換回路を有し、第一の出力信号Ｓ１０１をディジタルデータとして出力してもよい。
【００２４】
第一の受光素子１０１としてのフォトダイオード等、電気的に接続可能な各種センサは電気抵抗を有するため、電力を供給することで発熱が生じる。しかしながら、センサ自体を発熱させることがセンサの寿命等の観点から望ましくない場合や、必要な印加電圧や供給電流が電力供給回路の制約により確保できない場合等は、センサの近傍に適切な抵抗値の抵抗体を設け、この抵抗体に電力を供給することでこの抵抗体を発熱させてもよい。
【００２５】
（温度情報取得部）
温度情報取得部１０２は、第一の受光素子１０１の温度情報を取得し、取得した温度情報を生成部１０３及び補償部１０４に出力することができれば特に制限されない。
温度情報取得部１０２によって取得される第一の受光素子１０１の温度情報は、第一の受光素子１０１の補償情報としての温度特性の取得、及び第一の出力信号Ｓ１０１の温度特性の補償に用いられるため、第一の受光素子１０１の温度情報は精度良く取得されることが望ましい。
【００２６】
第一の受光素子１０１の温度情報として、第一の受光素子１０１の抵抗値を用いても良い。 上述の量子型光センサや熱型赤外線センサを含め、電気的な接続が可能な受光素子は電気抵抗を有し、例えば量子型光センサの場合には素子の温度に応じてキャリア密度が変わること、またはエネルギーバンドの状態が変わること等により抵抗値が変化する。さらに、量子型光センサであるかに関わらず、素子の温度に応じて素子が熱膨張又は収縮すること等によっても抵抗値が変化する。すなわち、第一の受光素子１０１の抵抗値は、第一の受光素子１０１の温度に直接相関を持つ。そのため、第一の受光素子１０１の抵抗値を第一の受光素子１０１の温度情報として用いることで、第一の受光素子１０１の補償情報としての温度特性の取得、及び第一の出力信号Ｓ１０１の温度特性の補償を精度よく行うことができる。よって、第一の受光素子１０１の温度情報として、第一の受光素子１０１の抵抗値を用いることは、第一の受光素子１０１の温度情報を精度良く取得すると言う観点から好ましい。
【００２７】
なお、第一の受光素子１０１の抵抗値として、第一の受光素子１０１に試験電流を入力したときに第一の受光素子１０１に生じる電位差や、第一の受光素子１０１に試験電圧を印加したときに第一の受光素子１０１に流れる電流の値を用いても良い。
また、第一の受光素子１０１の温度情報として、第一の受光素子１０１の近傍、例えば第一の受光素子１０１と同一基板上にサーミスタを配置し、このサーミスタの抵抗値を用いても良い。この場合、第一の受光素子１０１とサーミスタとが同一基板上に配置されているため、第一の受光素子１０１の温度とサーミスタの温度とは略等しいと考えられる。すなわち、サーミスタの抵抗値は、第一の受光素子１０１の温度に間接的に相関を持つ。そのため、サーミスタの抵抗値を第一の受光素子１０１の温度情報として用いることで、第一の受光素子１０１の補償情報としての温度特性の取得、及び第一の出力信号の温度特性の補償を精度よく行うことができる。
【００２８】
よって、第一の受光素子１０１の温度情報として、第一の受光素子１０１と同一基板上に形成されたサーミスタの抵抗値を用いることは、第一の受光素子１０１自体の温度情報を精度良く取得すると言う観点から好ましい。なお、当該サーミスタの抵抗値として、サーミスタに試験電流を入力したときにサーミスタに生じる電位差や、サーミスタに試験電圧を印加したときにサーミスタに流れる電流の値を用いても良い。
【００２９】
温度情報取得部１０２としては、例えば、抵抗測定回路が好適である。抵抗測定回路は例えば、抵抗測定対象物に試験電流を入力したときに抵抗測定対象物に生じる電位差や、抵抗測定対象物に試験電圧を印加したときに抵抗測定対象物に流れる電流に基づいて抵抗値を算出しても良い。
また、温度情報取得部１０２はアナログ−ディジタル変換回路を有し、ディジタルデータとして温度情報を出力しても良い。
【００３０】
また、温度情報取得部１０２は記憶領域を有し、第一の受光素子１０１の温度情報を記憶領域に記憶しておき、生成部１０３及び補償部１０４からの要求に応じて記憶領域から温度情報を読み出し、読みだされた温度情報を出力しても良い。
また、温度情報取得部１０２は、第一の受光素子１０１等、受光装置１００の他の構成要素に内蔵されていても良い。
【００３１】
（生成部）
生成部１０３は、第一の受光素子１０１から出力される第一の出力信号Ｓ１０１と、温度情報取得部１０２から出力される温度情報Ｓ１０２との関係から補償情報を生成することができれば特に制限されない。生成部１０３は補償情報を生成し、生成した補償情報Ｓ１０３を記憶部１０５に格納する。また生成部１０３は、新たに補償情報を生成した場合には、記憶部１０５に格納されている以前生成した補償情報を、新たに生成した補償情報に更新記憶する。
【００３２】
生成部１０３としては、例えば、アナログＩＣ(Integrated Circuit)、ディジタルＩＣ、また、ＣＰＵ(Central Processing Unit)、マイクロコントローラ等のプロセッサが好適である。
また、生成部１０３は、補償部１０４等、受光装置１００の他の構成要素に内蔵されていても良い。
【００３３】
（補償部）
補償部１０４は、第一の受光素子１０１から出力される第一の出力信号Ｓ１０１を、この第一の出力信号Ｓ１０１を第一の受光素子１０１から入力した際に温度情報取得部１０２から入力される温度情報Ｓ１０２と、記憶部１０５から読み出した補償情報Ｓ１０３とに基づいて補償し、温度特性の影響が補償された出力信号、つまり受光装置１００の出力信号Ｓ１００を出力することができれば特に制限されない。
【００３４】
補償部１０４としては、例えば、アナログＩＣ、ディジタルＩＣ及びＣＰＵ、マイクロコントローラ等のプロセッサが好適である。
また、補償部１０４は、生成部１０３等、受光装置１００の他の構成要素に内蔵されていても良い。
また、補償部１０４は、温度特性の影響が補償された出力信号Ｓ１００を、電圧値や電流値等のアナログ値として出力しても良いし、通信ポートやバスを介してディジタル値として出力しても良い。
【００３５】
（記憶部）
記憶部１０５は、生成部１０３で生成された第一の出力信号Ｓ１０１の補償情報Ｓ１０３を記憶することができれば特に制限されない。記憶部１０５は生成部１０３に内蔵されていてもよい。
（制御部）
制御部１０６は、第一の受光素子１０１に電力を供給することで、第一の受光素子１０１の温度状態を変化させることができれば特に制限されない。
【００３６】
（指示部）
指示部１０７は、補償情報の生成を指示するための生成信号を制御部１０６に出力することができれば、特に制限されない。指示部１０７は、例えばユーザが指示部１０７に対して生成信号の出力を指示することで、または、定期的等、任意のタイミングで生成信号を制御部１０６に出力する。
【００３７】
（温度特性の影響の補償方法）
補償部１０４によって行われる、温度特性の影響の補償（以下、“温度特性補償”と称する場合がある）の方法について図２を用いて説明する。
図２は、第一の受光素子１０１の出力である第一の出力信号Ｓ１０１の温度特性を表す概念図であり、第一の受光素子１０１がある一定の光量を受光する際の、第一の受光素子１０１の温度情報と第一の出力信号Ｓ１０１との関係を表している。図２において横軸は第一の受光素子１０１の素子温度、または温度相当の値を表す温度情報、縦軸は第一の出力信号Ｓ１０１である。
【００３８】
図２に示すように、一般に、第一の受光素子１０１として量子型光センサや熱型赤外線センサ等を用いる場合、受光素子の温度が上昇すると、その出力は低下する傾向があることが知られている。
温度特性補償の方法としては例えば、第一の受光素子１０１の基準温度を規定し、基準温度外の温度における第一の出力信号Ｓ１０１を、基準温度での第一の出力信号相当値に換算する方法が挙げられる。
【００３９】
例えば、図２に示すように、第一の受光素子１０１の基準温度に対応する基準温度情報値Ｔ０に対し、得られた温度情報値がＴ１であり、第一の出力信号Ｓ１０１としてＯＵＴ１が得られたものとする。この場合には、図２に示されるような温度特性を補償情報として利用し、実際に取得された第一の出力信号Ｓ１０１＝ＯＵＴ１を、基準温度情報値Ｔ０における第一の出力信号相当値ＯＵＴ０に換算することで、温度補償した出力信号Ｓ１００（＝ＯＵＴ０）を得ることができる。
【００４０】
より具体的には、例えば補償情報から、温度情報値がＴ１のときに第一の受光素子１０１がある光量を受光した際の第一の出力信号Ｓ１０１＝ＯＵＴ１が、温度情報値が基準温度情報値Ｔ０のときに第一の受光素子１０１が同じ光量を受光した際の第一の出力信号Ｓ１０１＝ＯＵＴ０の６０％の値になると読み取れたとする。この場合には、温度情報値がＴ１のときに得られた第一の出力信号Ｓ１０１＝ＯＵＴ１を５／３（６０％の逆数）倍した値を温度特性補償後の第一の出力信号Ｓ１０１、つまり、受光量に応じた出力信号Ｓ１００として出力すればよい。
このようにすることで、受光装置１００は温度特性の影響が補償された出力信号Ｓ１００を出力することができる。
【００４１】
（補償情報の取得）
温度特性補償を行う際に参照される補償情報、すなわち第一の受光素子１０１の出力である第一の出力信号Ｓ１０１の温度特性を取得するための方法について、図３を用いて説明する。
補償情報の取得に際しては第一の受光素子１０１に電力を供給し、第一の受光素子１０１を発熱させることにより生じる第一の受光素子１０１の温度変化を利用する。
【００４２】
すなわち、電力供給により第一の受光素子１０１の温度が上昇した際に第一の受光素子１０１の温度情報と第一の出力信号Ｓ１０１とを取得することで、第一の受光素子１０１の温度が環境温度より上昇した状態における、第一の受光素子１０１の温度情報と第一の出力信号との関係を取得することができる。
【００４３】
例えば、図３に示すように、基準温度環境において基準温度情報値Ｔａ０とそのときの第一の出力信号Ｓ１０１＝ＯＵＴａ０が得られたとき、図３中の点Ｐを得る。さらに、第一の受光素子１０１に電力を供給し、第一の受光素子１０１の温度上昇が生じた後、第一の受光素子１０１の温度情報と第一の出力信号Ｓ１０１とを取得することで、温度情報値Ｔａ１とそのときの第一の出力信号Ｓ１０１＝ＯＵＴａ１が得られたとき、図３中の点Ｑを得る。このとき、点Ｐと点Ｑとを通る直線を補償情報として、以降の補償部１０４における、第一の受光素子１０１の第一の出力信号Ｓ１０１の温度特性の補償に用いることができる。この例では点Ｐと点Ｑの２点のみを実測値として取得したが、より多点の実測値を用いても良い。その場合、補償情報である温度特性の曲線を、実測点を用いた最小二乗法等によって任意の式の近似式として取得しても良い。
【００４４】
第一の受光素子１０１の温度情報と第一の出力信号Ｓ１０１との関係の取得は、求められる温度特性補償の精度、すなわち得るべき補償情報の精度に応じて複数回行われても良い。
この補償情報の取得は、第一の受光素子１０１が環境温度に対し、より高温における状態の温度特性しか実測できないため、温度特性補償を行いたい温度範囲に対し、より低い温度環境下で行われることがより望ましい。
【００４５】
また、この補償情報の取得を従来技術と共に用いてもよい。すなわち例えば恒温槽等の熱浴を用いて環境温度を変化させつつ、この補償情報の取得を行うことで、熱浴によって実際に制御される複数の環境温度の間の温度における温度特性を補償するための情報を補間しても良い。
この補償情報の取得は受光装置１００の出荷前検査時に行われても良い。
【００４６】
また、この補償情報の取得は受光装置１００が使用されている最中に行われても良い。この場合、何らかの原因により、使用の継続によって第一の受光素子１０１の温度特性が変化してしまったとしても、補償情報を新たに取得し更新することで、第一の受光素子１０１の温度特性の変化に対応することができる。ただし、この場合、補償情報を取得している最中、第一の受光素子１０１が受光する光量の変化が、受光装置１００が必要とする受光感度に対して十分小さい範囲に収まっている必要がある。
【００４７】
この制約を回避するために、供給された電力または電流ならびに印加された電圧に応じた光量の光を出力する補償情報取得用の発光素子（以下、補償用発光素子という。）を別途設け、複数の電力供給条件で第一の受光素子１０１に電力供給が行われて補償情報が取得されている間、補償用発光素子を一定の駆動条件で駆動し、この補償用発光素子から出力される光も第一の受光素子１０１で受光させるようにしても良い。こうすることで、補償情報を取得している間、第一の受光素子１０１が受光する光量の変化を、受光装置１００が必要とする受光感度に対して十分小さい範囲に収めることができる。なお、この補償用発光素子は第一の受光素子１０１が感度を示す光を出力することができれば特に制限されず、例えば発光ダイオードや白熱球等が好適である。
【００４８】
また同じくこの制約を回避するために、第一の受光素子１０１と同様の、受光量に応じた第二の出力信号を出力する、補償情報取得用の受光素子としての補償用受光素子をさらに用いても良い。このとき、補償情報を取得している間、第二の出力信号の変化量が予め設定した閾値以下であるか否かを判断することによって、第二の出力信号の変化が、受光装置１００が必要とする受光感度に対して十分小さい範囲に収まっていることを確認し、変化が許容範囲外であった場合には取得された補償情報を破棄し、変化が許容範囲に収まっていた場合には取得された補償情報を以降用いる等してもよい。このようにすることによって、不正確な補償情報が取得されることを回避することができる。
【００４９】
また、電力供給により第一の受光素子１０１の温度が上昇した際の第一の受光素子１０１の温度情報と第一の出力信号Ｓ１０１とは、電力供給が行われている最中に取得されても良いし、電力供給が終了した後に取得されても良い。ただし、電力供給が終了した後に取得する場合は、電力供給終了後に電力供給により上昇した温度が環境温度まで下がる前に第一の受光素子１０１の温度情報とそのときの第一の出力信号Ｓ１０１とを取得する必要がある。
【００５０】
また、電力供給により第一の受光素子１０１の温度が上昇する過程において、第一の出力信号Ｓ１０１を多点に渡って取得することで、第一の受光素子１０１が複数の温度状態にあるときの第一の出力信号Ｓ１０１を取得するようにしてもよい。
また、より精度の良い補償情報を取得するために、電力供給による温度上昇後の第一の受光素子１０１の温度情報とそのときの第一の出力信号Ｓ１０１とを多点に渡って取得する場合、電力供給終了後に電力供給により上昇した温度が環境温度まで下がるまでの間に複数回、第一の受光素子１０１の温度情報とそのときの第一の出力信号Ｓ１０１とを取得しても良い。
【００５１】
このように、本発明の第一実施形態に係る受光装置１００においては、生成部１０３を、受光装置１００内に一体に備えているため、生成部１０３を作動させることによって、使用環境下等において、最新の光学素子の温度特性を取得することが可能になり、経年劣化等により光学素子の温度特性が変化してしまった場合にも、温度特性を高精度に補償することができる。
次に、本発明の第二実施形態を説明する。
図４は、本発明の第二実施形態に係る発光装置の一例を示す概略構成図である。
【００５２】
＜発光装置＞
本発明の一実施形態に係る発光装置は、供給される電力に応じた量の光を出力する第一の発光素子と、前記第一の発光素子の温度情報を取得する温度情報取得部と、前記第一の発光素子の電力供給条件の補償情報を記憶する記憶部と、前記第一の発光素子に電力を供給することで、当該第一の発光素子を複数の温度状態に変化させる制御部と、前記複数の温度状態における、複数の前記第一の発光素子の出力及び前記温度情報に基づいて前記補償情報を生成する生成部と、前記電力供給条件を、前記温度情報及び前記補償情報に基づいて補償する補償部と、を備える。
【００５３】
ここでいう、補償情報とは、第一の発光素子の温度情報と、第一の発光素子の出力信号、すなわち、後述の第一の発光素子の出力相当値Ｓ２０１の変化率との対応を表すテーブル、或いは第一の発光素子の温度情報と、既定の同一の光を出力するための電力供給条件との対応を表すテーブル、または、温度情報を入力とし、第一の発光素子の出力相当値の変化率を出力として算出するための、関数の係数等、或いは温度情報を入力とし、既定の同一の光を出力するための電力供給条件を出力として算出するための、関数の係数等を含む。
【００５４】
本発明の一実施形態に係る発光装置によれば、使用環境下における最新の光学素子の温度特性を取得することが可能になり、これを用いることで、経年劣化等により光学素子の温度特性が変化してしまった場合にも、温度特性の影響を高精度に補償することができる。さらに、第一の発光素子に電力を供給することで複数の温度状態を作り出すことができるため、恒温槽等の熱浴のような大規模な設備を必要とすることなく第一の発光素子の電力供給条件の補償情報を生成することができる。
【００５５】
本発明の第二実施形態に係る発光装置２００は、図４に示すように、第一の発光素子２０１と、温度情報取得部２０２と、生成部２０３と、補償部２０４と、記憶部２０５と、制御部２０６と、指示部２０７と、を備える。
第一の発光素子２０１は、制御部２０６からの電力供給を受けて動作する。第一の発光素子２０１の出力、つまり第一の発光素子２０１が出力する光は、発光装置２００の外部に設けられた受光素子で受光され、受光量に応じた信号が第一の発光素子２０１の出力相当値Ｓ２０１として生成部２０３に出力される。
【００５６】
温度情報取得部２０２は第一の発光素子２０１の温度情報を取得し、取得した温度情報Ｓ２０２を生成部２０３及び補償部２０４に出力する。生成部２０３は、指示部２０７から、補償情報の生成を指示するための生成信号が入力されたとき、第一の発光素子２０１の出力相当値Ｓ２０１と、出力相当値Ｓ２０１が検出されたときの温度情報Ｓ２０２と、をもとに、温度特性を補償するための補償情報を生成し、生成した補償情報Ｓ２０３を記憶部２０５に格納する。補償部２０４は第一の発光素子２０１を駆動するための電力供給条件を、温度情報取得部２０２から出力された温度情報と、記憶部２０５に格納された補償情報とに基づいて補償し、補償した電力供給条件を制御部２０６に出力する。
【００５７】
制御部２０６は、補償部２０４で補償した電力供給条件を用いて第一の発光素子２０１に電力供給を行う。また、指示部２０７から、補償情報の生成を指示するための生成信号が入力されたときには、電力供給条件を変化させ、第一の発光素子２０１を複数の温度状態に変化させる。
【００５８】
（第一の発光素子）
第一の発光素子２０１は、供給電力に応じた光量の、発光装置２００が出力すべき波長の光を出力することができれば特に制限されない。第一の発光素子２０１としては、例えば、発光装置２００が出力すべき波長に応じたＬＥＤ（発光ダイオード）や、ＭＥＭＳヒータ、白熱電球等が好適である。また、第一の発光素子２０１への電力供給は、電流の入力や、電圧の印加によって行われても良い。この際電流源や電圧源を用いても良い。
【００５９】
また、第一の発光素子２０１は、第一の発光素子２０１への電力供給を行い、第一の発光素子２０１としてのＬＥＤ等各種光源を駆動するための、駆動回路を有していても良い。
電気的に接続可能な各種光源は電気抵抗を有するため、電力を供給することで発熱が生じるが、光源自体を発熱させることが光源の寿命等の観点から望ましくない場合や、必要な印加電圧や供給電流が電力供給回路の制約により確保できない場合等は、光源の近傍に適切な抵抗値の抵抗体を設け、この抵抗体に電力を供給することで、この抵抗体を発熱させてもよい。
【００６０】
（温度情報取得部）
温度情報取得部２０２は、第一の発光素子２０１の温度情報を取得し、取得した温度情報を生成部２０３及び補償部２０４に出力することができれば特に制限されない。
温度情報取得部２０２によって取得される第一の発光素子２０１の温度情報は、第一の発光素子２０１を駆動するための電力供給条件の補償情報としての温度特性の取得、及び第一の発光素子２０１を駆動するための電力供給条件の温度特性の補償に用いられるため、第一の発光素子２０１の温度情報は精度良く取得されることが望ましい。
【００６１】
第一の発光素子２０１の温度情報として、第一の発光素子２０１の抵抗値を用いても良い。上述のＬＥＤやＭＥＭＳヒータ、白熱電球等を含め、電気的な接続が可能な発光素子は電気抵抗を有し、例えばＬＥＤの場合には素子の温度に応じてキャリア密度が変わること、エネルギーバンドの状態が変わること等により抵抗値が変化する。また、ＬＥＤであるかに関わらず、素子の温度に応じて素子が熱膨張又は収縮すること等によっても抵抗値が変化する。すなわち、第一の発光素子２０１の抵抗値は、第一の発光素子２０１の温度に直接相関を持つ。そのため、第一の発光素子２０１の抵抗値を第一の発光素子２０１の温度情報として用いることで、第一の発光素子２０１を駆動するための電力供給条件の補償情報としての温度特性の取得、及び第一の発光素子２０１を駆動するための電力供給条件の温度特性の補償を精度よく行うことができる。よって、第一の発光素子２０１の温度情報として、第一の発光素子２０１の抵抗値を用いることは、第一の発光素子２０１の温度情報を精度良く取得すると言う観点から好ましい。
【００６２】
なお、第一の発光素子２０１の抵抗値として、第一の発光素子２０１に試験電流を入力したときに第一の発光素子２０１に生じる電位差や、第一の発光素子２０１に試験電圧を印加したときに第一の発光素子２０１に流れる電流の値を用いても良い。
また、第一の発光素子２０１の温度情報として、第一の発光素子２０１の近傍、例えば第一の発光素子２０１と同一基板上にサーミスタを配置し、このサーミスタの抵抗値を用いても良い。この場合、第一の発光素子２０１とサーミスタとが同一基板上に配置されているため、第一の発光素子２０１の温度とサーミスタの温度とは略等しいと考えられる。すなわち、サーミスタの抵抗値は、第一の発光素子２０１の温度に間接的に相関を持つ。そのため、サーミスタの抵抗値を第一の発光素子２０１の温度情報として用いることで、第一の発光素子２０１を駆動するための電力供給条件の補償情報としての温度特性の取得、及び第一の発光素子２０１を駆動するための電力供給条件の温度特性の補償を精度よく行うことができる。
【００６３】
よって、第一の発光素子２０１の温度情報として、第一の発光素子２０１と同一基板上に配置されたサーミスタの抵抗値を用いることは、第一の発光素子２０１自体の温度情報を精度良く取得すると言う観点から好ましい。なお、当該サーミスタの抵抗値として、サーミスタに試験電流を入力したときにサーミスタに生じる電位差や、サーミスタに試験電圧を印加したときにサーミスタに流れる電流の値を用いても良い。
【００６４】
温度情報取得部２０２としては、例えば、抵抗測定回路が好適である。抵抗測定回路は例えば、抵抗測定対象物に試験電流を入力したときに抵抗測定対象物に生じる電位差や、抵抗測定対象物に試験電圧を印加したときに抵抗測定対象物に流れる電流に基づいて抵抗値を算出しても良い。
また、温度情報取得部２０２はアナログ−ディジタル変換回路を有し、ディジタルデータとして温度情報を出力しても良い。
【００６５】
また、温度情報取得部２０２は記憶領域を有し、第一の発光素子２０１の温度情報を記憶領域に記憶しておき、生成部２０３及び補償部２０４からの要求に応じて記憶領域から温度情報を読み出し、読み出された温度情報を出力しても良い。
また、温度情報取得部２０２は、第一の発光素子２０１等、発光装置２００の他の構成要素に内蔵されていても良い。
【００６６】
（生成部）
生成部２０３は、第一の発光素子２０１の出力相当値Ｓ２０１と、温度情報取得部２０２から出力される温度情報Ｓ２０２との関係から補償情報を生成することができれば特に制限されない。生成部２０３は、補償情報を生成し、生成した補償情報を記憶部２０５に格納する。また生成部２０３は、新たな補償情報を生成した場合には、記憶部２０５に格納されている以前生成した補償情報を、新たに生成した補償情報に更新記憶する。
生成部２０３としては、例えば、アナログＩＣ、ディジタルＩＣや、ＣＰＵ、マイクロコントローラ等のプロセッサが好適である。
また、生成部２０３は、補償部２０４等、発光装置２００の他の構成要素に内蔵されていても良い。
【００６７】
（補償部）
補償部２０４は、第一の発光素子２０１を駆動するための電力供給条件を、温度情報取得部２０２から入力される温度情報Ｓ２０２と、記憶部２０５から読み出した補償情報Ｓ２０３とに基づいて補償することができれば特に制限されない。
補償部２０４としては、例えば、アナログＩＣ、ディジタルＩＣや、ＣＰＵ、マイクロコントローラ等のプロセッサが好適である。
【００６８】
また、補償部２０４は、生成部２０３等、発光装置２００の他の構成要素に内蔵されていても良い。
また、補償部２０４は、温度特性の影響が補償された電力供給条件を、電圧値や電流値等のアナログ値として出力しても良いし、通信ポートやバスを介してディジタル値として出力しても良い。
【００６９】
（記憶部）
記憶部２０５は、生成部２０３で生成された第一の発光素子２０１を駆動するための電力供給条件の補償情報Ｓ２０３を記憶することができれば特に制限されない。記憶部２０５は生成部２０３に内蔵されていてもよい。
（制御部）
制御部２０６は、第一の発光素子２０１に所定電力を供給することができ、また、補償情報の生成を指示するための生成信号が指示部２０７から入力されたときに、第一の発光素子２０１への供給電力を変化させることで、第一の発光素子２０１の温度状態を変化させることができれば特に制限されない。
【００７０】
（指示部）
指示部２０７は、補償情報の生成を指示するための生成信号を制御部２０６に出力することができれば、特に制限されない。指示部２０７は、例えばユーザが指示部２０７に対して生成信号の出力を指示することで、または、定期的等、任意のタイミングで生成信号を制御部２０６に出力する。
【００７１】
（温度特性の影響の補償方法）
補償部２０４によって行われる、温度特性の影響の補償（以下、“温度特性補償”と称する場合がある）の方法について図５を用いて説明する。
図５は、第一の発光素子２０１が必要とする電力供給条件の温度特性を表す概念図であり、温度情報と、発光装置２００に求められる精度範囲で同一の出力を得るための、第一の発光素子２０１への電力供給条件との関係を表している。図５において横軸は第一の発光素子２０１の素子温度、または温度相当の値を表す温度情報、縦軸は第一の発光素子２０１の電力供給条件である。
【００７２】
ここで、電力供給条件とは例えば、第一の発光素子２０１を電流制御により駆動する場合には、その電流値や、同じく電圧制御により駆動する場合にはその電圧値や、同じく電力制御により駆動する場合にはその電力値や、制御方法によらず、電流、電圧、電力を供給する時間を含めた電力供給条件を指す。特に、第一の発光素子２０１としてＬＥＤを用いる場合、ＬＥＤは量子型光デバイスであり、その発光特性は供給電荷量と温度とに依存することから、電流値や電流供給時間を制御することが望ましい。また、特に、第一の発光素子２０１としてＭＥＭＳヒータや白熱電球を用いる場合、それらは熱型のデバイスであり、その発光特性は供給電力量と温度とに依存することから、電力値や電力供給時間を制御することが望ましい。
【００７３】
また、一般に、電流制御にて第一の発光素子２０１としてＬＥＤを用いる場合、発光素子の温度が上昇すると、同じ電流供給量ではその出力は低下する傾向があるため、常に同一の出力を得るためには温度上昇時には電流供給量を増やす必要がある。
温度特性補償の方法としては例えば、基準温度を規定し、基準温度外の温度における電力供給条件を基準温度での電力供給条件に換算する方法が挙げられる。
【００７４】
例えば、図５に示すように、基準温度に対応する基準温度情報値Ｔ２に対し、得られた温度情報値がＴ３のとき、図５中に示されるような温度特性を補償情報として参照し、電力供給条件ＣＯＮＤ３を用いて第一の発光素子２０１に制御部２０６から電力を供給する。これによって、基準温度情報値Ｔ２において電力供給条件ＣＯＮＤ２を用いて第一の発光素子２０１に電力を供給した場合と同等の出力を得ることができる。
このようにすることで、発光装置２００は温度特性の影響が補償された光を出力することができる。
【００７５】
（補償情報の取得）
温度特性補償を行う際に参照される補償情報、すなわち第一の発光素子２０１を駆動するための電力供給条件の温度特性を取得するための方法について、図５を用いて説明する。
補償情報の取得に際しては第一の発光素子２０１に電力を供給し、第一の発光素子２０１を発熱させることにより生じる第一の発光素子２０１の温度変化を利用する。
【００７６】
すなわち、電力供給により第一の発光素子２０１の温度が上昇した際に第一の発光素子２０１の温度情報と第一の発光素子２０１の出力とが既定の同一の光を出力する状態となる際の電力供給条件を取得することで、第一の発光素子２０１の温度が環境温度より上昇した状態における、第一の発光素子２０１の温度情報と同一の出力を得るための電力供給条件の関係を取得することができる。
【００７７】
例えば、図６に示すように、基準温度環境において基準温度情報値Ｔｂ２とそのときに既定の同一の光を出力する状態となる電力供給条件ＣＯＮＤｂ２が得られたとき、図６中の点Ｒを得る。さらに、第一の発光素子２０１に電力を供給し、第一の発光素子２０１の温度上昇が生じた後、第一の発光素子２０１の温度情報値Ｔｂ３とそのときに既定の同一の光を出力する状態における電力供給条件ＣＯＮＤｂ３とが得られたとき、図６中の点Ｓを得る。このとき、点Ｒと点Ｓを通る直線を補償情報として、以降の補償部２０４における、第一の発光素子２０１を駆動するための電力供給条件の温度特性の補償に用いることができる。この例では点Ｒと点Ｓの２点のみを実測値として取得したが、より多点の実測値を用いても良い。その場合、補償情報である温度特性の曲線を、実測点を用いた最小二乗法等によって任意の式の近似式として取得しても良い。
【００７８】
または、直接的に第一の発光素子２０１の温度が環境温度より上昇した状態における、第一の発光素子２０１の温度情報と同一の出力を得るための電力供給条件の関係を取得することが難しい場合は、電力供給により第一の発光素子２０１の温度が上昇した際に第一の発光素子２０１の温度情報と第一の発光素子２０１の出力を取得する。このようにすることで、第一の発光素子２０１の温度が環境温度より上昇した状態における、第一の発光素子２０１の温度情報と第一の発光素子２０１の出力との関係を取得し、この結果から第一の発光素子２０１の温度が環境温度より上昇した状態における、第一の発光素子２０１の温度情報と同一の出力を得るための電力供給条件の関係を取得しても良い。
【００７９】
例えば、図７に示すように、基準温度環境において基準温度情報値Ｔｂ２とそのときに既定の同一の光を出力する状態となる電力供給条件ｂ０により第一の発光素子２０１を駆動することで、第一の発光素子２０１の出力ＯＵＴｂ０が得られたとき、図７中の点Ｋ０を得る。さらに、第一の発光素子２０１に電力を供給し、第一の発光素子２０１の温度上昇が生じた後、第一の発光素子２０１の温度情報値Ｔｂ３とそのときに電力供給条件ｂ１により第一の発光素子２０１を駆動することで、第一の発光素子２０１の出力ＯＵＴｂ１が得られたとき、図７中の点Ｋ１を得る。このとき、例えば任意温度における第一の発光素子２０１への電力供給条件と第一の発光素子２０１の出力との関係が事前に分かっているならば、点Ｋ０と点Ｋ１とから、温度情報値Ｔｂ３において第一の発光素子２０１の出力が既定の同一の光を出力する際の電力供給条件を求めても良い。より具体的には例えば、第一の発光素子２０１としてＬＥＤを用い、且つその駆動方法として電流制御を用いる場合、ＬＥＤは供給する電荷量と光の出力とが略比例の関係になることが期待される。そのため、上述の電力供給条件ｂ０としてある駆動電流値Ａを用いる場合、仮に、温度情報値Ｔｂ３が得られたときに、第一の発光素子２０１の出力が、基準温度情報値Ｔｂ２が得られたときの第一の発光素子２０１の出力の１／２であったならば、温度情報値Ｔｂ３が得られた場合には前述の駆動電流値Ａの２倍の電流値をダイの第一の発光素子２０１に供給することで、基準温度情報値Ｔｂ２が得られたときの第一の発光素子２０１の出力と同等の出力を得ることができる。この例では、電力供給条件ｂ０は図６中のＣＯＮＤｂ２に、点Ｋ０と点Ｋ１から求められた温度情報値Ｔｂ３において第一の発光素子２０１の出力が既定の同一の光を出力する状態となる電力供給条件はＣＯＮＤｂ３に対応する。
【００８０】
また、第一の発光素子２０１への電力供給条件と第一の発光素子２０１の出力との関係が事前に分からないならば、電力供給条件を複数用いた実測点を得ることで、任意温度における第一の発光素子２０１への電力供給条件と第一の発光素子２０１の出力との関係を推定しても良い。より具体的に例えば、図７に示すように、温度情報値Ｔｂ３を得た際に電力供給条件ｂ０と異なる電力供給条件ｂ１を用いて点Ｋ２を得ることで、点Ｋ１と点Ｋ２から、温度情報値Ｔｂ３において第一の発光素子２０１の出力が既定の同一の光を出力する際の電力供給条件、すなわち点Ｋ０が示す出力を得るための電力供給条件を求めても良い。
【００８１】
これら温度特性の取得は、求められる温度特性補償の精度、すなわち得るべき補償情報の精度に応じて複数回行われても良い。
この補償情報の取得は、第一の発光素子２０１が環境温度に対し、より高温における状態の温度特性しか実測できないため、温度特性補償を行いたい温度範囲に対し、より低い温度環境下で行われることがより望ましい。
【００８２】
また、この補償情報の取得を従来技術と共に用いてもよい。すなわち例えば恒温槽等の熱浴を用いて環境温度を変化させつつ、この補償情報の取得を行うことで、熱浴によって実際に制御される複数の環境温度の間の温度における温度特性を補償するための情報を補間しても良い。
この補償情報の取得は発光装置２００の出荷前検査時に行われても良い。
【００８３】
また、この補償情報の取得は発光装置２００が使用されている最中に行われても良い。この場合、発光装置２００自体によって第一の発光素子２０１の出力が取得される必要がある。よって第一の発光素子２０１が出力する光の少なくとも一部を受光し、受光した光の光量に応じた出力信号を出力する補償情報取得用の受光素子をさらに設け、その出力信号を複数の電力供給条件で第一の発光素子２０１に電力が供給された際の第一の発光素子２０１の出力として用いても良い。なお、この補償情報取得用の受光素子としては、例えば受光装置１００における第一の受光素子１０１と同等の機能構成を有する受光素子を適用することができる。
【００８４】
また、電力供給により第一の発光素子２０１の温度が上昇した際の第一の発光素子２０１の温度情報とその出力は、電力供給が行われている最中に取得されても良いし、電力供給が終了した後に取得されても良い。ただし、電力供給が終了した後に取得する場合は、電力供給終了後に電力供給により上昇した温度が環境温度まで下がる前に第一の発光素子２０１の温度情報値とそのときの出力とを取得する必要がある。
【００８５】
また、電力供給により第一の発光素子２０１の温度が上昇する過程において、第一の発光素子２０１の出力を多点に渡って取得することで、第一の発光素子２０１が複数の温度状態にあるときの第一の発光素子２０１の出力を取得するようにしてもよい。
また、より精度の良い補償情報を取得するために、電力供給による温度上昇後の第一の発光素子２０１の温度情報値とそのときの第一の発光素子２０１の出力とを多点に渡って取得する場合、電力供給終了後に電力供給により上昇した温度が環境温度まで下がるまでの間に複数回、第一の発光素子２０１の温度情報値とそのときの第一の発光素子２０１の出力とを取得しても良い。
【００８６】
このように、本発明の第二実施形態に係る発光装置２００においては、生成部２０３を、発光装置２００内に一体に備えているため、生成部２０３を作動させることによって、使用環境下等において、最新の光学素子の温度特性を取得することができ、経年劣化等により光学素子の温度特性が変化してしまった場合にも、温度特性を高精度に補償することができる。
次に、本発明の第三実施形態を説明する。
図８は、本発明の一実施形態に係る受発光装置の一例を示す概略構成図である。
【００８７】
＜受発光装置＞
本発明の一実施形態に係る受発光装置は、供給される電力に応じた量の光を出力する第一の発光素子と、前記第一の発光素子が出力する光の少なくとも一部を受光し、受光量に応じた第一の出力信号を出力する第一の受光素子と、前記第一の発光素子の温度情報を取得する温度情報取得部と、前記第一の出力信号の補償に用いる第一の補償情報を記憶する第一の記憶部と、前記第一の発光素子に電力を供給することで、当該第一の発光素子を複数の温度状態に変化させる制御部と、前記複数の温度状態における、複数の前記第一の出力信号及び前記温度情報に基づいて前記第一の補償情報を生成する第一の生成部と、前記第一の出力信号を、前記温度情報及び前記第一の補償情報に基づいて補償する第一の補償部と、を備える。
【００８８】
ここでいう、補償情報とは、第一の発光素子の温度情報と、第一の受光素子の出力信号の変化率との対応を表すテーブル、または、温度情報を入力とし、第一の受光素子の出力信号の変化率を出力として算出するための、関数の係数や、温度情報と第一の出力信号を入力とし、温度特性の影響が補償された第一の出力信号を算出するための、関数の係数等を含む。
【００８９】
本発明の一実施形態に係る受発光装置によれば、使用環境下における最新の光学素子の温度特性を取得することが可能になり、これを用いることで、経年劣化等により光学素子の温度特性が変化してしまった場合にも、温度特性の影響を高精度に補償することができる。さらに、第一の発光素子に電力を供給することで複数の温度状態を作り出すことができるため、恒温槽等の熱浴のような大規模な設備を必要とすることなく第一の受光素子の出力の、第一の発光素子の温度に基づく温度特性を補償するための補償情報を生成することができる。
【００９０】
本発明の第三実施形態に係る受発光装置３００は、図８に示すように、第一の発光素子３０１−１と、第一の受光素子３０１−２と、温度情報取得部３０２と、第一の生成部３０３と、第一の補償部３０４と、第一の記憶部３０５と、制御部３０６と、指示部３０７と、を備える。
【００９１】
ここで、第一の発光素子３０１−１は、制御部３０６から電力供給を受けて動作する。第一の受光素子３０１−２は第一の発光素子３０１−１が出力する光の少なくとも一部を受光する。また、第一の受光素子３０１−２はその出力である第一の出力信号Ｓ３０１を第一の生成部３０３及び第一の補償部３０４に出力する。温度情報取得部３０２は第一の発光素子３０１−１の温度情報を取得し、この温度情報Ｓ３０２を第一の生成部３０３及び第一の補償部３０４に出力する。第一の生成部３０３は、指示部３０７から、補償情報の生成を指示するための生成信号が入力されたとき、第一の受光素子３０１−２の第一の出力信号Ｓ３０１に現れる温度特性を補償するための第一補償情報Ｓ３０３を生成し、生成した第一補償情報Ｓ３０３を第一の記憶部３０５に格納する。また第一の生成部３０３は、新たな第一補償情報Ｓ３０３を生成した場合に、第一の記憶部３０５に格納されている以前生成した第一補償情報Ｓ３０３を、新たに生成した第一補償情報Ｓ３０３に更新記憶する。
【００９２】
第一の補償部３０４は第一の受光素子３０１−２から入力された第一の出力信号Ｓ３０１を、温度情報取得部３０２から出力された温度情報Ｓ３０２と、第一の記憶部３０５に格納された第一補償情報Ｓ３０３とに基づいて補償し、温度特性の影響が補償された第一の出力信号、すなわち受光量を表す出力信号Ｓ３００を出力する。
制御部３０６は、第一の発光素子３０１−１に所定電力を供給し、指示部３０７から、補償情報の生成を指示するための生成信号が入力されたときには、第一の発光素子３０１−１への供給電力を変化させ、第一の発光素子３０１−１を複数の温度状態に変化させる。
【００９３】
（第一の発光素子）
第一の発光素子３０１−１は、供給電力に応じた光量の、受発光装置３００が出力すべき波長の光を出力可能であれば特に制限されない。
また、第一の発光素子３０１−１は本発明の第二実施形態に係る発光装置２００の第一の発光素子２０１と同等の機能構成を有する。
【００９４】
（第一の受光素子）
第一の受光素子３０１−２は、受発光装置３００が感度を示すべき波長の光を受光した際に、また、第一の発光素子３０１−１が出力する光の少なくとも一部を受光した際に、受光した光の光量に応じた第一の出力信号Ｓ３０１を電気的に出力することが可能であれば特に制限されない。
第一の受光素子３０１−２は本発明の第一実施形態に係る受光装置１００の第一の受光素子１０１と同等の機能構成を有する。
【００９５】
（温度情報取得部）
温度情報取得部３０２は、第一の発光素子３０１−１の温度情報を取得し、その温度情報を第一の生成部３０３及び第一の補償部３０４に出力することができれば特に制限されない。
温度情報取得部３０２は本発明の第二実施形態に係る発光装置２００の温度情報取得部２０２と同等の機能構成を有する。なお、発光装置２００と同様に、第一の発光素子３０１−１の温度情報として、第一の発光素子３０１−１の抵抗値を用いても良い。また、発光装置２００と同様に、第一の発光素子３０１−１の温度情報として、第一の発光素子３０１−１の近傍、例えば同一基板上にサーミスタを配置し、このサーミスタの抵抗値を用いても良い。 
【００９６】
（第一の生成部）
第一の生成部３０３は、第一の受光素子３０１−２から出力される第一の出力信号Ｓ３０１と、温度情報取得部３０２から出力される温度情報Ｓ３０２との関係から第一補償情報Ｓ３０３を生成することができれば特に制限されない。
第一の生成部３０３は本発明の第一実施形態に係る受光装置１００の生成部１０３と同等の機能構成を有する。
【００９７】
（第一の補償部）
第一の補償部３０４は、第一の受光素子３０１−２から出力される第一の出力信号Ｓ３０１を、第一の出力信号Ｓ３０１を取得した際に温度情報取得部３０２から入力される温度情報Ｓ３０２と、第一の記憶部３０５から読み出した第一補償情報Ｓ３０３とに基づいて補償し、温度特性の影響が補償された出力信号、つまり受発光装置３００の第一の出力信号Ｓ３００を出力することができれば特に制限されない。
第一の補償部３０４は本発明の第一実施形態に係る受光装置１００の補償部１０４と同等の機能構成を有する。
【００９８】
（第一の記憶部）
第一の記憶部３０５は、第一の生成部３０３で生成された第一の出力信号Ｓ３０１の第一補償情報Ｓ３０３を記憶することができれば特に制限されない。第一の記憶部３０５は第一の生成部３０３に内蔵されていてもよい。
（制御部）
制御部３０６は、第一の発光素子３０１−１に所定電力を供給することができ、また、補償情報の生成を指示するための生成信号が指示部３０７から入力されたときに、第一の発光素子３０１−１への供給電力を変化させることで、第一の発光素子３０１−１を温度状態を変化させることができれば特に制限されない。
【００９９】
（指示部）
指示部３０７は、補償情報の生成を指示するための生成信号を制御部３０６に出力することができれば、特に制限されない。指示部３０７は、例えばユーザが指示部３０７に対して生成信号の出力を指示することで、または、定期的等、任意のタイミングで生成信号を制御部３０６に出力する。
【０１００】
（温度特性の影響の補償方法）
受発光装置３００において、第一の発光素子３０１−１の温度特性の影響を考えると、第一の発光素子３０１−１の出力する光は温度特性を有するため、その光の少なくとも一部を受光する第一の受光素子３０１−２の第一の出力信号Ｓ３０１も温度特性を有する。よって、第一の発光素子３０１−１の温度情報に基づいて第一の出力信号Ｓ３０１を補償することによって、第一の発光素子３０１−１の温度特性の影響を補償した第一の出力信号Ｓ３００を得ることができる。
【０１０１】
受発光装置３００の第一の出力信号Ｓ３０１の温度特性の補償は、本発明の第一実施形態に係る受光装置１００の温度特性の補償と同様に第一補償情報Ｓ３０３を用いて行うことができる。ただし、受発光装置３００において温度補償される温度特性は、第一の発光素子３０１−１の温度特性に起因するものである。
また、第一の受光素子３０１−２自体にも温度特性が存在するとき、受発光装置３００に求められる精度に応じて第一の受光素子３０１−２の温度特性の影響も補償する必要があるが、これについては本発明の第一実施形態に係る受光装置１００における第一の受光素子１０１の温度特性の影響の補償方法を用いることができることは明らかである。
【０１０２】
（第一補償情報の取得）
第一の出力信号Ｓ３０１に現れる温度特性の補償を行う際に参照される第一補償情報Ｓ３０３、すなわち第一の受光素子３０１−２の出力である第一の出力信号Ｓ３０１の温度特性の取得は、本発明の第一実施形態に係る受光装置１００と同様に行うことができる。ただし、電力投入により温度変化が生じるのは第一の発光素子３０１−１である。
【０１０３】
このように、本発明の第三実施形態に係る受発光装置３００においては、第一の生成部３０３を受発光装置３００内に一体に備えているため、使用環境下等において、最新の光学素子の温度特性を取得することができ、経年劣化等により光学素子の温度特性が変化してしまった場合にも、温度特性を高精度に補償することができる。また、第一の発光素子３０１−１の温度特性の影響及び第一の受光素子３０１−２の温度特性の影響を共に補償することができる。
次に、本発明の第四実施形態を説明する。
図９は、本発明の一実施形態に係る受発光装置の変形例を示す概略構成図である。
【０１０４】
＜受発光装置の変形例＞
本発明の第四実施形態に係る受発光装置は、第三実施形態に係る受発光装置に加えて、第一の発光素子と同一基板上に配置され、第一の発光素子が出力する光の少なくとも一部を受光し、受光量に応じた第二の出力信号を出力する第二の受光素子と、複数の電力供給条件で第一の発光素子に電力供給が行われたときの第二の出力信号及び温度情報に基づいて、第二の出力信号の補償情報である第二補償情報を算出する第二の生成部と、第二の出力信号を、第二の出力信号を取得したときの温度情報と第二補償情報とに基づいて補償する第二の補償部と、第二補償情報を記憶する第二の記憶部と、をさらに備える。
【０１０５】
ここでいう基板とは、素子等各部が実装されるプリント基板や、半導体基板を含む。また、第二の受光素子を第一の発光素子と同一のプリント基板上に配置する場合は、第二の受光素子を第一の受光素子よりも第一の発光素子に近い位置に配置することが望ましい。こうすることによって、第一の出力信号Ｓ３００と比べて、第一の発光素子３０１−１に起因する温度特性以外の外乱の影響が少ない第二の出力信号Ｓ４００を得ることができる。
【０１０６】
図９に示すように、本発明の第四実施形態に係る受発光装置４００は、第三実施形態に係る受発光装置３００において、さらに、第二の受光素子３０１−３と第二の生成部３０３ａと第二の補償部３０４ａと第二の記憶部３０５ａとを備える。
ここで第二の受光素子３０１−３は第一の発光素子３０１−１が出力する光の少なくとも一部を受光する。また、第二の受光素子３０１−３はその出力である第二の出力信号Ｓ３０１ａを第二の生成部３０３ａ及び第二の補償部３０４ａに出力する。
【０１０７】
温度情報取得部３０２は第一の発光素子３０１−１の温度情報を取得し、取得した温度情報Ｓ３０２を第二の生成部３０３ａ及び第二の補償部３０４ａに出力する。
第二の生成部３０３ａは、指示部３０７から、補償情報の生成を指示する生成信号が入力されたとき、第二の受光素子３０１−３の第二の出力信号Ｓ３０１ａに現れる温度特性を補償するための第二補償情報Ｓ３０３ａを、第二の出力信号Ｓ３０１ａと温度情報Ｓ３０２とに基づき算出し、第二補償情報Ｓ３０３ａを第二の記憶部３０５ａに格納する。第二の補償部３０４ａは、第二の受光素子３０１−３から入力された第二の出力信号Ｓ３０１ａを、温度情報取得部３０２から出力された温度情報Ｓ３０２と、第二の記憶部３０５ａに格納された第二補償情報Ｓ３０３ａとに基づいて補償し、温度特性の影響が補償された第二の出力信号Ｓ４００を出力する。なお第二の記憶部３０５ａは第一の記憶部３０５と共通であってもよい。
【０１０８】
また、制御部３０６は、第一の発光素子３０１−１に所定電力を供給し、指示部３０７から、第一補償情報Ｓ３０３及び／または第二補償情報Ｓ３０３ａの生成を指示するための生成信号が入力されたときには、第一の発光素子３０１−１への供給電力を変化させ、第一の発光素子３０１−１を、第一補償情報Ｓ３０３生成のための複数の温度状態及び／または第二補償情報Ｓ３０３ａ生成のための複数の温度状態に変化させる。なお、第一補償情報Ｓ３０３生成用と第二補償情報Ｓ３０３ａ生成用の複数の温度状態は共通であってもよく、又は個別に設けられていても良い。また、第一補償情報Ｓ３０３及び第二補償情報Ｓ３０３ａのいずれの補償情報の生成が指示されたかに応じて、第一の発光素子３０１−１への供給電力を変化させても良い。
【０１０９】
指示部３０７は、第一補償情報Ｓ３０３または第二補償情報Ｓ３０３ａの生成を指示するための生成信号を制御部３０６に出力することができれば、特に制限されない。指示部３０７は、例えばユーザが指示部３０７に対して生成信号の出力を指示すること、または、定期的等、任意のタイミングで生成信号を制御部３０６に出力する。第一補償情報Ｓ３０３の生成を指示するための生成信号と第二補償情報Ｓ３０３ａの生成を指示するための生成信号は共通であってもよく、また、それぞれについて生成信号を設けても良い。
温度特性の影響が補償された第二の出力信号Ｓ４００は、温度特性の影響が補償された第一の出力信号Ｓ３００に対して外乱の影響が少ないため、温度特性の影響が補償された第一の出力信号Ｓ３００の、第一の発光素子３０１−１の出力の温度に依らない変動を除いた、温度特性以外の要因による変動量の算出に用いることが出来る。
【０１１０】
（第二の受光素子）
第二の受光素子３０１−３は第一の発光素子３０１−１と共に同一の基板３０８上に形成され、第一の発光素子３０１−１が出力する光の少なくとも一部を基板３０８内の伝搬や基板３０８表面の反射等により受光し、受光した光の光量に応じた第二の出力信号Ｓ３０１ａを出力することが可能であれば特に制限されない。
第二の受光素子３０１−３は第一の受光素子３０１−２と同等の機能構成を有するものを用いることができる。
【０１１１】
（第二の生成部）
第二の生成部３０３ａは、第二の受光素子３０１−３から出力される第二の出力信号Ｓ３０１ａと、温度情報取得部３０２から出力される温度情報Ｓ３０２との関係から第二補償情報Ｓ３０３ａを生成することができれば特に制限されない。
第二の生成部３０３ａは第一の生成部３０３と同等の機能構成を有するものを用いることができる。また、第二の生成部３０３ａは第一の生成部３０３に内蔵されていても良い。
【０１１２】
（第二の補償部）
第二の補償部３０４ａは、第二の受光素子３０１−３から出力される第二の出力信号Ｓ３０１ａを、この第二の出力信号Ｓ３０１ａを取得した際に温度情報取得部３０２から出力される温度情報Ｓ３０２と、第二の生成部３０３ａから出力される第二補償情報Ｓ３０３ａとに基づいて補償し、温度特性の影響が補償された第二の出力信号Ｓ４００を出力可能であれば特に制限されない。
第二の補償部３０４ａは第一の補償部３０４と同等の機能構成を有するものを用いることができる。また、第二の補償部３０４ａは第一の補償部３０４に内蔵されていても良い。
【０１１３】
（第二の記憶部）
第二の記憶部３０５ａは、第二の生成部３０３ａで生成された第二の出力信号Ｓ３０１ａの第二補償情報Ｓ３０３ａを記憶することができれば特に制限されない。
【０１１４】
（温度特性の影響の補償方法）
受発光装置４００において、第一の発光素子３０１−１の温度特性の影響を考えると、第一の発光素子３０１−１の出力する光は温度特性を有するため、その光の少なくとも一部を受光する第二の受光素子３０１−３の第二の出力信号Ｓ３０１ａも、第一の出力信号Ｓ３０１と同様に温度特性を有する。よって、第一の出力信号Ｓ３０１と同様に、第一の発光素子３０１−１の温度情報Ｓ３０２に基づいて第二の出力信号Ｓ３０１ａを補償することによって、第一の発光素子３０１−１の温度特性の影響を補償した第二の出力信号Ｓ４００を得ることができる。
第二の補償部３０４ａにおける第二の出力信号Ｓ３０１ａの温度特性の補償は、本発明の第三実施形態に係る受発光装置３００の第一の出力信号Ｓ３０１の温度特性の補償と同様の手順で第二補償情報Ｓ３０３ａを用いて行うことができる。
【０１１５】
（第二補償情報の取得）
第二の出力信号Ｓ３０１ａに現れる温度特性の補償を行う際に参照される第二補償情報Ｓ３０３ａ、すなわち第二の受光素子３０１−３の出力信号である第二の出力信号Ｓ３０１ａの温度特性の取得は第一補償情報Ｓ３０３の取得と同様の手順で行うことができる。
【０１１６】
（温度情報）
受発光装置４００において、温度情報取得部３０２は、第一の発光素子３０１−１の温度情報として第二の受光素子３０１−３の抵抗値を用いても良い。この場合、第一の発光素子３０１−１と第二の受光素子３０１−３とが同一基板上に形成されているため、第一の発光素子３０１−１の温度と第二の受光素子３０１−３の温度は略等しいと考えられる。すなわち、第二の受光素子３０１−３の温度は、第一の発光素子３０１−１の温度に間接的に相関を持つため、第二の受光素子３０１−３の抵抗値を第一の発光素子３０１−１の温度情報として用いることで、第一の出力信号Ｓ３０１、及び第二の出力信号Ｓ３０１ａに現れる第一の発光素子３０１−１の温度特性の影響の補償を精度よく行うことができる。よって、第一の発光素子３０１−１の温度情報として、第一の発光素子３０１−１と同一基板上に形成された第二の受光素子３０１−３の抵抗値を用いることは、第一の発光素子３０１−１自体の温度情報を精度良く取得すると言う観点から好ましい。なお、第二の受光素子３０１−３の抵抗値として、第二の受光素子３０１−３に試験電流を入力したときに第二の受光素子３０１−３に生じる電位差や、第二の受光素子３０１−３に試験電圧を印加したときに第二の受光素子３０１−３に流れる電流の値を用いても良い。
また、受発光装置４００において、第一実施形態または第二実施形態に係る受光装置１００や発光装置２００と同様に、温度情報取得部３０２は第一の発光素子３０１−１及び第二の受光素子３０１−３と同一基板上に形成されたサーミスタの抵抗値を用いても良い。
【０１１７】
（第二の出力信号による第一の出力信号の補正）
上述の方法により、第一の発光素子３０１−１の温度特性の影響を補償された第一の出力信号（以下、“温度特性補償済み第一の出力信号”と称す）Ｓ３００及び第二の出力信号（以下、“温度特性補償済み第二の出力信号”と称す）Ｓ４００を得ることができる。
このとき、温度特性補償済み第一の出力信号Ｓ３００を温度特性補償済み第二の出力信号Ｓ４００に基づいて補正してもよい。
【０１１８】
つまり、温度特性補償済み第二の出力信号Ｓ４００は温度特性補償済み第一の出力信号Ｓ３００と比べて、温度特性以外の外乱の影響が小さいため、温度特性補償済み第一の出力信号Ｓ３００の、第一の発光素子３０１−１の出力の温度に依らない変動を除いた、温度特性以外の要因による変動量の算出に用いることができる。
【０１１９】
ここで、第一の発光素子３０１−１の出力の温度に依らない変動を除いた、温度特性以外の要因による変動量とは、例えば受発光装置４００を計測器用途に用いた場合の、測定対象物の干渉による信号の変化等に対応する。
また、温度特性補償済み第一の出力信号Ｓ３００の温度特性補償済み第二の出力信号Ｓ４００に基づく補正の方法としては、例えば、その差に基づいて補正する方法や、その比に基づいて補正する方法が挙げられる。
【０１２０】
このように、本発明の第四実施形態に係る受発光装置４００においては、第一の生成部３０３を受発光装置４００内に一体に備えているため、使用環境下等において、最新の光学素子の温度特性を取得することができ、経年劣化等により光学素子の温度特性が変化してしまった場合にも、温度特性を高精度に補償することができる。また、第一の発光素子３０１−１の温度特性の影響を補償された第一の出力信号Ｓ３００及び第一の出力信号Ｓ３００の、第一の発光素子３０１−１の出力の温度に依らない変動を除いた、温度特性以外の要因による変動量の算出を行うことができる。
【０１２１】
なお、上記実施形態において、第一の受光素子１０１、また、発光素子２０１、３０１−１の温度状態を変化させる場合には、例えば、受光素子又は発光素子への供給電力量を、所望の温度状態となり得る電力量に変更すること、或いは、受光素子又は発光素子に一定量の電力を供給することで、温度状態を連続的に上昇させること、等により、受光素子又は発光素子の温度状態を変化させればよい。
【０１２２】
また、上記各実施形態においては、指示部からの生成信号を受けて、制御部が発光素子または受光素子への供給電力を変化させることで、補償情報の取得を行う場合について説明したが、これに限るものではない。例えば、補償情報の取得を行う場合には、各生成部を自動的に或いは手動で動作させればよい。例えば、第一実施形態に係る受光装置１００において、生成部１０３を自動的に動作させる場合には、例えば、受光装置１００の起動時、また受光装置１００の起動後、一定周期で生成部１０３が自動的に補償情報を取得するための処理を実行し、生成部１０３からの制御信号にしたがって、第一の受光素子１０１への供給電力を変化させると共に、各種情報を収集し、これに基づき補償情報を算出するようにすればよい。また、手動で動作させる場合には、例えば、生成部１０３に補償情報を取得するための処理を実行させるためのスイッチ等を設けておき、スイッチ操作が行われたときに生成部１０３が補償情報を取得するための処理を実行するようにすればよい。他の各実施形態における発光装置２００、受発光装置３００及び４００においても、同様に構成すればよい。
【０１２３】
また、発光装置と受光装置とを用い、受光装置の出力信号を用いて測定対象の物質の濃度を測定するようにした光学式物理量測定装置の、発光装置及び受光装置として、上記第三実施形態に係る受発光装置３００または第四実施形態に係る受発光装置４００を適用することも可能である。このように、受発光装置３００または受発光装置４００を備えた光学式物理量測定装置を構成することによって、温度環境の影響のより少ない光学式物理量測定装置を構成することができ、すなわち測定精度のより高い光学式物理量測定装置を得ることができる。
【０１２４】
以上、本発明の実施形態を説明したが、上記実施形態は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【符号の説明】
【０１２５】
１００  受光装置
１０１、３０１−２  第一の受光素子
１０２、２０２、３０２  温度情報取得部
１０３、２０３  生成部
１０４、２０４  補償部
１０５、２０５  記憶部
１０６、２０６、３０６  制御部
１０７、２０７、３０７  指示部
２００  発光装置
２０１、３０１−１  第一の発光素子
３０１−３  第二の受光素子
３０３  第一の生成部
３０３ａ  第二の生成部
３０４  第一の補償部
３０４ａ  第二の補償部
３０５  第一の記憶部
３０５ａ  第二の記憶部
【図１】
2018060781.tif 000003
【図２】
2018060781.tif 000004
【図３】
2018060781.tif 000005
【図４】
2018060781.tif 000006
【図５】
2018060781.tif 000007
【図６】
2018060781.tif 000008
【図７】
2018060781.tif 000009
【図８】
2018060781.tif 000010
【図９】
2018060781.tif 000011
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
受光量に応じた第一の出力信号を出力する、量子型光センサまたは熱型赤外線センサで形成される第一の受光素子と、
前記第一の受光素子の温度情報を取得する温度情報取得部と、
前記第一の出力信号の補償に用いる補償情報を記憶する記憶部と、
前記量子型光センサまたは熱型赤外線センサに電力を供給することで、前記第一の受光素子を複数の温度状態に変化させる制御部と、
前記複数の温度状態における、複数の前記第一の出力信号及び前記温度情報に基づいて前記補償情報を生成する生成部と、
前記第一の出力信号を、前記温度情報及び前記補償情報に基づいて補償する補償部と、
を備える受光装置。
【請求項２】
前記補償情報の生成を指示するための生成信号を出力する指示部をさらに備え、
前記制御部は、前記生成信号が入力されたときに、前記量子型光センサまたは熱型赤外線センサに電力を供給し、前記第一の受光素子を前記複数の温度状態に変化させる
請求項１に記載の受光装置。
【請求項３】
補償用発光素子をさらに備え、
前記第一の受光素子は、前記補償用発光素子が出力する光の少なくとも一部を受光し、
前記補償用発光素子は、前記第一の受光素子が前記複数の温度状態にあるときに一定条件で駆動され、
前記第一の出力信号は、前記補償用発光素子が出力する光の受光量に応じた出力を含む
請求項１または請求項２に記載の受光装置。
【請求項４】
受光量に応じた第二の出力信号を出力する補償用受光素子をさらに備え、
前記生成部は、前記第二の出力信号の変化量が所定の閾値以下である場合に、前記補償情報を生成する
請求項１から請求項３のいずれか一項に記載の受光装置。
【請求項５】
前記温度情報取得部は、前記第一の受光素子の抵抗値を前記温度情報として取得する
請求項１から請求項４のいずれか一項に記載の受光装置。
【請求項６】
受光量に応じた第一の出力信号を出力する第一の受光素子と、
受光量に応じた第二の出力信号を出力する補償用受光素子と、
前記第一の受光素子の温度情報を取得する温度情報取得部と、
前記第一の出力信号の補償に用いる補償情報を記憶する記憶部と、
前記第一の受光素子に電力を供給することで、当該第一の受光素子を複数の温度状態に変化させる制御部と、
前記複数の温度状態における、複数の前記第一の出力信号及び前記温度情報に基づいて前記補償情報を生成する生成部と、
前記第一の出力信号を、前記温度情報及び前記補償情報に基づいて補償する補償部と、
を備え、
前記生成部は、前記第二の出力信号の変化量が所定の閾値以下である場合に、前記補償情報を生成する
受光装置。
【請求項７】
受光量に応じた第一の出力信号を出力する第一の受光素子を形成する量子型光センサまたは熱型赤外線センサに、前記第一の受光素子の温度状態が複数の温度状態に変化するように電力を供給し、
前記第一の受光素子が前記複数の温度状態にあるときの、複数の前記第一の出力信号と前記第一の受光素子の温度情報とに基づいて、前記第一の出力信号の補償に用いる補償情報を生成して記憶部に記憶しておき、
前記第一の出力信号を、前記第一の受光素子の温度情報及び前記記憶部に記憶されている前記補償情報に基づいて補償する、受光装置の補償方法。
【請求項８】
受光量に応じた第一の出力信号を出力する第一の受光素子に、当該第一の受光素子の温度状態が複数の温度状態に変化するように電力を供給し、
受光量に応じた第二の出力信号を出力する補償用受光素子から出力される前記第二の出力信号の変化量が所定の閾値以下である場合に、前記第一の受光素子が前記複数の温度状態にあるときの、複数の前記第一の出力信号と前記第一の受光素子の温度情報とに基づいて、前記第一の出力信号の補償に用いる補償情報を生成して記憶部に記憶しておき、
前記第一の出力信号を、前記第一の受光素子の温度情報及び前記記憶部に記憶されている前記補償情報に基づいて補償する、受光装置の補償方法。
【手続補正３】
【補正対象書類名】明細書
【補正対象項目名】０００１
【補正方法】変更
【補正の内容】
【０００１】
本発明は受光装置及び受光装置の補償方法に関する。
【手続補正４】
【補正対象書類名】明細書
【補正対象項目名】０００７
【補正方法】変更
【補正の内容】
【０００７】
しかしながら、事前に取得した温度特性を補償するための補償情報を使い続ける場合、経年劣化等により光学素子の温度特性が変化してしまった場合には、温度特性の補償精度が低下してしまうという問題がある。
本発明は、このような問題に鑑みてなされたもので、その目的とするところは、経年劣化等により光学素子の温度特性が変化してしまった場合にも、温度特性を高精度に補償することができる受光装置及び受光装置の補償方法を提供することにある。
【手続補正５】
【補正対象書類名】明細書
【補正対象項目名】０００８
【補正方法】変更
【補正の内容】
【０００８】
上記目的を達成するために、本発明の一態様に係る受光装置は、受光量に応じた第一の出力信号を出力する、量子型光センサまたは熱型赤外線センサで形成される第一の受光素子と、前記第一の受光素子の温度情報を取得する温度情報取得部と、前記第一の出力信号の補償に用いる補償情報を記憶する記憶部と、前記量子型光センサまたは熱型赤外線センサに電力を供給することで、前記第一の受光素子を複数の温度状態に変化させる制御部と、前記複数の温度状態における、複数の前記第一の出力信号及び前記温度情報に基づいて前記補償情報を生成する生成部と、前記第一の出力信号を、前記温度情報及び前記補償情報に基づいて補償する補償部と、を備えることを特徴としている。
【手続補正６】
【補正対象書類名】明細書
【補正対象項目名】０００９
【補正方法】変更
【補正の内容】
【０００９】
また、本発明の他の態様に係る受光装置は、受光量に応じた第一の出力信号を出力する第一の受光素子と、受光量に応じた第二の出力信号を出力する補償用受光素子と、前記第一の受光素子の温度情報を取得する温度情報取得部と、前記第一の出力信号の補償に用いる補償情報を記憶する記憶部と、前記第一の受光素子に電力を供給することで、当該第一の受光素子を複数の温度状態に変化させる制御部と、前記複数の温度状態における、複数の前記第一の出力信号及び前記温度情報に基づいて前記補償情報を生成する生成部と、前記第一の出力信号を、前記温度情報及び前記補償情報に基づいて補償する補償部と、を備え、前記生成部は、前記第二の出力信号の変化量が所定の閾値以下である場合に、前記補償情報を生成することを特徴としている。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
さらに、本発明の他の態様に係る受光装置の補償方法は、受光量に応じた第一の出力信号を出力する第一の受光素子を形成する量子型光センサまたは熱型赤外線センサに、前記第一の受光素子の温度状態が複数の温度状態に変化するように電力を供給し、前記第一の受光素子が前記複数の温度状態にあるときの、複数の前記第一の出力信号と前記第一の受光素子の温度情報とに基づいて、前記第一の出力信号の補償に用いる補償情報を生成して記憶部に記憶しておき、前記第一の出力信号を、前記第一の受光素子の温度情報及び前記記憶部に記憶されている前記補償情報に基づいて補償する、ことを特徴としている。
【手続補正９】
【補正対象書類名】明細書
【補正対象項目名】００１２
【補正方法】変更
【補正の内容】
【００１２】
また、本発明の他の態様に係る受光装置の補償方法は、受光量に応じた第一の出力信号を出力する第一の受光素子に、当該第一の受光素子の温度状態が複数の温度状態に変化するように電力を供給し、受光量に応じた第二の出力信号を出力する補償用受光素子から出力される前記第二の出力信号の変化量が所定の閾値以下である場合に、前記第一の受光素子が前記複数の温度状態にあるときの、複数の前記第一の出力信号と前記第一の受光素子の温度情報とに基づいて、前記第一の出力信号の補償に用いる補償情報を生成して記憶部に記憶しておき、前記第一の出力信号を、前記第一の受光素子の温度情報及び前記記憶部に記憶されている前記補償情報に基づいて補償することを特徴としている。
【手続補正１０】
【補正対象書類名】明細書
【補正対象項目名】００１３
【補正方法】削除
【補正の内容】